(57)【要約】【課題】小型化をすることができ、像形成ユニットの着脱を簡単に行うことができる画像形成装置及びこれに用いられる像形成ユニットを提供する【解決手段】画像形成装置１０は、画像形成装置本体１２と、画像形成装置本体１２内に着脱可能に設けられた感光体ユニット２６を有している。感光体ユニット２６は、感光体ユニット２６を把持するための把手８０と、感光体ユニット２６を画像形成装置本体１２に固定するために用いられる操作部材８２とを有していて、把手８０及び操作部材８２は、感光体ユニット２６の両側に設けられている。また、画像形成装置本体１２は、ガイド溝９０、ガイド面９６を備え、画像形成装置本体１２に感光体ユニット２６を着脱する際に、ガイド溝９０に把手８０ａが、ガイド面９６に把手８０ｂがガイドされる。【選択図】図３
2008209697.tif 000002
【特許請求の範囲】
【請求項１】
画像形成装置本体と、
前記画像形成装置本体内に着脱可能に設けられた像形成ユニットと、
を有し、
前記像形成ユニットは、
前記像形成ユニットを把持する把手と、
前記像形成ユニットを前記画像形成装置本体に固定するための操作部と、
を有し、
前記把手及び前記操作部は、前記像形成ユニットの両側に設けられている画像形成装置。
【請求項２】
前記画像形成装置本体は、前記像形成ユニットの着脱をガイドするガイド部を備え、前記像形成ユニットは、前記ガイド部又は前記把手の一方が他方に収納されるように前記画像形成装置本体内に装着される請求項１記載の画像形成装置。
【請求項３】
前記把手は、前記画像形成装置本体内に前記像形成ユニットを着脱する際に、前記ガイド部にガイドされる被ガイド部として用いられる請求項２記載の画像形成装置。
【請求項４】
前記把手は、前記画像形成装置本体に対する前記像形成ユニットの着脱方向と略平行に設けられている請求項１乃至３いずれか記載の画像形成装置。
【請求項５】
前記把手は、前記像形成ユニット本体に着脱可能に設けられた請求項１乃至４いずれか記載の画像形成装置。
【請求項６】
前記画像形成装置本体に設けられた被係合部と、
前記操作部に設けられ、前記被係合部に係合可能な係合部と、
を有し、
前記係合部又は前記被係合部の少なくとも一方は、前記係合部及び前記被係合部が互いに係合する係合位置と、前記係合部及び前記被係合部の係合が解除される解除位置との間で移動可能であって、前記係合又は前記被係合部の少なくとも一方が、前記係合位置で係止される請求項１乃至５いずれか記載の画像形成装置。
【請求項７】
前記係合部又は前記被係合部の少なくとも一方を、前記係合部及び前記被係合部が互いに係合する方向に付勢する付勢手段をさらに有する請求項６記載の画像形成装置。
【請求項８】
前記係合部又は前記被係合部の一方に、前記係合部又は前記被係合部の他方が当接した状態で摺動する摺動部と、前記係合部又は前記被係合部の他方を係止する係止部が設けられた請求項６又は７記載の画像形成装置。
【請求項９】
前記操作部は、前記像形成ユニットの前記画像形成装置本体内からの引き出し方向における前側に設けられた請求項１乃至８いずれか記載の画像形成装置。
【請求項１０】
画像形成装置本体内に着脱自在に設けられ、把持する把手と前記画像形成装置本体に固定するための操作部と有し、前記把手及び前記操作部は両側に設けられている像形成ユニット。
【発明の詳細な説明】
【技術分野】
【０００１】
本発明は、画像形成装置及びこれに用いる像形成ユニットに関する。
【背景技術】
【０００２】
プロセスカートリッジを着脱可能で記録媒体に画像を形成する電子写真画像形成装置において、ａ．電子写真感光体ドラムと、前記電子写真感光体ドラムに作用するプロセス手段と、画像形成装置本体から引き出すための手の指を掛ける指掛け面を有する把手と、を有するプロセスカートリッジを取り外し可能に装着する装着部と、ｂ．前記電子写真感光体ドラム上に形成されたトナー像を記録媒体に転写するための転写手段を有し前記把手 の指掛け面に指を掛けてプロセスカートリッジを引き出した際に、プロセスカートリッジ が転写手段と離間した位置において前記指が当接して指の移動を阻止する引き出し制限部を備え、前記装着部をプロセスカートリッジの着脱方向にしたがって開閉する開閉部材と、を有する電子写真画像形成装置が知られている（特許文献１）。
【０００３】
【特許文献１】特願２００１−２４７２号公報。
【発明の開示】
【発明が解決しようとする課題】
【０００４】
本発明の目的は、小型化をすることができ、像形成ユニットの着脱を簡単に行うことができる画像形成装置及びこれに用いられる像形成ユニットを提供することにある。
【課題を解決するための手段】
【０００５】
本発明の第１の特徴とするところは、画像形成装置本体と、前記画像形成装置本体内に着脱可能に設けられた像形成ユニットと、を有し、前記像形成ユニットは、前記像形成ユニットを把持する把手と、前記像形成ユニットを前記画像形成装置本体に固定するための操作部と、を有し、前記把手及び前記操作部は、前記像形成ユニットの両側に設けられている画像形成装置。
【０００６】
好適には、前記画像形成装置本体は、前記像形成ユニットの着脱をガイドするガイド部を備え、前記像形成ユニットは、前記ガイド部又は前記把手の一方が他方に収納されるように前記画像形成装置本体内に装着される。
【０００７】
また、好適には、前記把手は、前記画像形成装置本体内に前記像形成ユニットを着脱する際に、前記ガイド部にガイドされる被ガイド部として用いられる。
【０００８】
また、好適には、前記把手は、前記画像形成装置本体に対する前記像形成ユニットの着脱方向と略平行に設けられている。
【０００９】
また、好適には、前記把手は、前記像形成ユニット本体に着脱可能に設けられている。
【００１０】
また、好適には、前記画像形成装置本体に設けられた被係合部と、前記操作部に設けられ、前記被係合部に係合可能な係合部と、を有し、前記係合部又は前記被係合部の少なくとも一方は、前記係合部及び前記被係合部が互いに係合する係合位置と、前記係合部及び前記被係合部の係合が解除される解除位置との間で移動可能であって、前記係合又は前記被係合部の少なくとも一方が、前記係合位置で係止される。
【００１１】
また、好適には、前記係合部又は前記被係合部の少なくとも一方を、前記係合部及び前記被係合部が互いに係合する方向に付勢する付勢手段をさらに有する。
【００１２】
また、好適には、前記係合部又は前記被係合部の一方に、前記係合部又は前記被係合部の他方が当接した状態で摺動する摺動部と、前記係合部又は前記被係合部の他方を係止する係止部が設けられている。
【００１３】
また、好適には、前記操作部は、前記像形成ユニットの前記画像形成装置本体内からの引き出し方向における前側に設けられている。
【００１４】
また、本発明の第２の特徴とするところは、画像形成装置本体内に着脱自在に設けられ、把持する把手と前記画像形成装置本体に固定するための操作部と有し、前記把手及び前記操作部は両側に設けられている像形成ユニットにある。
【発明を実施するための最良の形態】
【００１５】
次に本発明の実施形態について図面に基づいて説明する。
図１には本発明の実施形態に係る画像形成装置１０が示されている。この画像形成装置１０は、画像形成装置本体１２を有し、画像形成装置本体１２の下部には、給紙装置１４が配置されているとともに、画像形成装置本体１２の上部には排紙部１６が形成されている。
【００１６】
給紙装置１４は、用紙トレイ１８を有し、この用紙トレイ１８に多数の用紙が積層される。この用紙トレイ１８の一端上部には、フィードロール２０が配置されているとともに、このフィードロール２０に対向して捌きロール２２が設けられている。用紙トレイ１８の最上位にある用紙がフィードロール２０によりピックアップされ、フィードロール２０と裁きロール２２との協働により用紙が捌かれて搬送される。
【００１７】
用紙トレイ１８から搬送された用紙は、レジストロール２４により一時停止され、所定のタイミングにより後述する感光体ユニット２６と転写ユニット２８との間及び定着装置３０を通って排紙ロール３２により排紙部１６へ排出される。
【００１８】
画像形成装置本体１２内には、像形成ユニットとして用いられる感光体ユニット２６、転写ユニット２８、電源ユニット３４及び制御部３６が配置されている。感光体ユニット２６は画像形成装置本体１２内に着脱可能に装着され、感光体ユニット本体３８を有する。感光体ユニット本体３８には、例えば４つのサブユニット５０、５０、５０、５０が、例えば感光体ユニット２６に対して着脱することができるように設けられている。
【００１９】
サブユニット５０は、それぞれが感光体４０を有し、感光体４０の周囲には、感光体４０を一様に帯電する帯電ロールを備え、帯電手段として用いられる帯電装置４２と、感光体４０に書き込まれた潜像を、現像剤（トナー）で現像し、現像手段として用いられる現像装置４４と、現像剤像の転写がなされた後の感光体４０に光を照射して、感光体４０を除電する除電手段として用いられる除電装置４６と、転写がなされた後に感光体４０に残留する現像剤を除去し、現像剤除去手段として用いられるクリーニング装置４８とが、それぞれ設けられている。
【００２０】
４つのサブユニット５０は、重力方向下方であるシート搬送方向上流から、イエロートナー像形成用、マゼンダトナー像形成用、シアントナー像形成用、黒トナー像形成用であって、感光体４０の表面に、イエロートナー像、マゼンダトナー像、シアントナー像、黒トナー象をそれぞれ形成する。サブユニット５０は、ぞれぞれが感光体ユニット本体３８内に着脱可能となっている。
【００２１】
光書き込み装置５６は、それぞれレーザ露光装置からなり、感光体ユニット２６の背面側にあって、それぞれが感光体４０に対応した位置に配置され、一様に帯電された感光体４０に対してレーザを照射して潜像を形成するようになっている。
【００２２】
転写ユニット２８は、感光体ユニット２６の前側にあって感光体ユニット２６に対向して縦方向に配置されている。転写ユニット２８は、上下方向に並べられて２つの支持ロール５８、５８を有し、２つの支持ロール５８、５８に搬送ベルト６０が掛けられている。また、感光体４０に搬送ベルト６０を挟んで対向するように転写ロール６２が設けられている。
【００２３】
以上のように構成された画像形成装置１０では、感光体４０が、帯電装置４２により一様に帯電され、光書き込み装置５６により潜像が形成され、現像装置４４によって潜像がトナーを用いて可視像化される。感光体４０に形成されたトナー像は、下方から順番に転写ユニット２８の転写ロール６２によって、用紙に転写され、定着装置３０により用紙に定着される。
【００２４】
図２には、画像形成装置本体１２の構成と、画像形成装置本体１２内に感光体ユニット２６が着脱される様子が示されている。画像形成装置本体１２の前側には開放部６４が形成されていて、開放部６４を開閉する開閉部として用いられる開閉カバー６６が取り付けている。開閉カバー６６は、ヒンジ６８を用いて画像形成装置本体１２に取り付けられていて、ヒンジ６８を中心に回転運動することで開放部６４を開放し、封鎖する。
【００２５】
開閉カバー６６には、転写ユニット２８、定着装置３０、及び排紙ロール３２が装着されていて、転写ユニット２８、定着装置３０、及び排紙ロール３２は、開閉カバー６６の移動とともに移動する。したがって、開閉カバー６６が開かれると、感光体ユニット２６の前から転写ユニット２８が退避し、感光体ユニット２６の前に開放部６４につながる空間が形成される。そして、感光体ユニット２６は、開閉カバー６６が開かれた状態で開放部６４を介して画像形成装置本体１２内に装着され、画像形成装置本体１２内から引き出される。
【００２６】
図３乃至５には、感光体ユニット２６が示されている。
感光体ユニット２６は感光体ユニット本体３８を有し、感光体ユニット本体３８には、両側に把手が設けられている。すなわち、感光体ユニット本体３８には、右側面部に把手８０ａが、左側面部に把手８０ｂが設けられている。ここで、側面とは、上面及び底面以外の面をいい、右側・左側は、画像形成装置本体１２内に感光体ユニット２６が装着された状態で、開閉カバー６６の開閉がなされる側（図１及び２における左側）から見た右側・左側を指している。把手８０ａは、感光体ユニット本体３８の右側面３８ａから右側に突出するように感光体ユニット本体３８に設けられている。把手８０ｂは、感光体ユニット本体３８の左側面３８ｂから左側に突出するように感光体ユニット本体３８に設けられている。
【００２７】
把手８０ａ、８０ｂは、感光体ユニット本体３８の両側に設けられているため、把手が感光体ユニット本体３８の上面や底面に設けられている場合と比較し、感光体ユニット２６が上下方向に大型化しにくい。把手８０ａ、８０ｂの左右に突出した部分は、例えば感光体ユニット２６を画像形成装置本体１２内に着脱する際や、画像形成装置本体１２外に取り出された感光体ユニット２６を搬送する際に、操作者が握る部位として用いられる。
【００２８】
把手８０ａ、８０ｂは、少なくとも一部が、感光体ユニット本体３８の側面に設けられていれば良い。例えば把手８０ａ、８０ｂの一部が感光体ユニット本体３８の側面に設けられ、把手８０ａ、８０ｂの一部が感光体ユニット本体３８の上面に設けられていても良い。
【００２９】
把手８０ａ、８０ｂは、感光体ユニット３８に略水平方向に設けられている。また、把手８０ａ、８０ｂは、画像形成装置本体１２に対して感光体ユニット２６を着脱する方向（図２における矢印を参照）と略水平に、感光体ユニット本体３８に設けられている。
【００３０】
感光体ユニット本体３８には、感光体ユニット２８を画像形成装置本体１２の固定するための操作部として用いられる操作部材８２が両側に設けられていて、例えば右側面側に２つ、左側面側に２つの計４つが設けられている。操作部材８２は、それぞれがハンドル部８４と、軸部８６とを有し、軸部８６が感光体ユニット本体３８の突出部３８ｃに支持されるようにして、感光体ユニット本体３８に装着されている。ハンドル部８４は、感光体ユニット２６を画像形成装置本体１２に固定する場合に、操作者によって操作がなされる部分であり、画像形成装置本体１２に感光体ユニット２６が装着された状態において、操作者が感光体ユニット２６を画像形成装置本体１２に固定する操作を行う側である画像形成装置１０の前側（図１及び２における左側）に位置するようになっている。感光体ユニット本体３８の突出部３８ｃは、画像形成装置本体１２の外側に突出した、例えば板状の部分である。
【００３１】
図６及び７には、把手８０ａ、８０ｂの詳細が示されている。把手８０ａ、８０ｂは、感光体ユニット本体３８に着脱することができ、係合部として用いられる例えば２つの突起８１、８１をそれぞれが有している。そして、これらの突起８１が、感光体ユニット本体３８に、例えば係合部の数と同数が形成され、被係合部として用いられる開口３８ｄに、それぞれが係合するようにして感光体ユニット本体３８に装着されている。そして、突起８１と開口３８ｄとの係合を解除するように、把手８０ａ、８０ｂを感光体ユニット本体３８から例えば引き抜くことにより、把手８０ａ、８０ｂが感光体ユニット本体３８から取り外される。
【００３２】
図８乃至１０には、画像形成装置本体１２の詳細が示されている。画像形成装置本体１２の右内側の側面１２ａには、ガイド部として用いられるガイド溝９０が設けられている。ガイド溝９０は、側面１２ｂから画像形成装置１０の中央方向に向かって突出した突出部９２、９４の間に略水平方向に形成されていて、また、図９に矢印で示す感光体ユニット２６に着脱方向と略平行に形成されている。
【００３３】
感光体ユニット２６が画像形成装置本体１２内に着脱される際には、感光体ユニット２６の把手８０ａが、ガイド溝９０にはまり込むような状態となり、ガイド溝９０によって、感光体ユニット２６の着脱がガイドされる。このように、把手８０ａは、例えば持ち運ぶ場合等に把手として用いられるのみならず、ガイド溝９０によって直接ガイドされる被ガイド部として兼用されている。
【００３４】
画像形成装置本体１２の左内側の側面１２ｂには、ガイド部として用いられるガイド面９６が形成されている。ガイド面９６は、側面１２ｂから画像形成装置１０の中央側方向に向けて突出した平板形状の突出部９８の上向きの面であり、略水平の面であって、図１０に矢印で示す感光体ユニット２６に着脱方向と略平行に形成されている。
【００３５】
感光体ユニット２６が画像形成装置本体１２内に着脱される際には、感光体ユニット２６の把手８０ｂが、ガイド面９６に載置されるような状態となり、ガイド面９６によって、感光体ユニット２６の着脱がガイドされる。このように、把手８０ｂは、把手として用いられるのみならず、ガイド面９６によって直接ガイドされる被ガイド部として兼用されている。
【００３６】
感光体ユニット２６が画像形成装置本体１２内に装着されると、ガイド溝９０に把手８０ａが収納された状態となり、面９６の上方に把手８０ｂが位置する状態となる。画像形成装置本体１２には、感光体ユニット２６の着脱をガイドするガイド手段を設けることが望ましく、このため、画像形成装置本体１２内には一般にガイド手段を設けるための空間が必要になる。この実施形態では、感光体ユニット２６の着脱をガイドするために必要となる空間であるガイド溝９０の内部及びガイド面９６の上方の空間に、画像形成装置本体１２内の装着された把手８０ａ及び把手８０ｂが、それぞれ収納された状態となる。このため、把手８０ａ、８０ｂが収納される空間を、ガイド溝９０及びガイド面９６の上方の空間とは別に画像形成装置本体１２内に確保する必要がなく、画像形成装置１０を小型化しやすくなる。
【００３７】
この実施形態では、上述のように、画像形成装置本体１２にガイド溝９０を設け、感光体ユニット２６に側面から突出するように把手８０ａを設けて、把手８０ａがガイド溝９０に収納されるようになっているが、画像形成装置本体１２のガイド部又は感光体ユニット２６の把手８０ａの一方に他方が収納されれば良く、画像形成装置本体１２にガイド用の突起を形成し、感光体ユニット２６に把手として用いられる凹部を形成し、感光体ユニット２６の凹部に、画像形成装置本体１２のガイド用突起が収納されるようにしても良い。この場合、感光体ユニット２６に形成された凹部は、把手として用いられるのみならず、画像形成装置本体１２に対する着脱時に、画像形成装置本体１２に形成されたガイド溝によって直接にガイドされる被ガイド部としても兼用される。
【００３８】
図１１には、画像形成装置本体１２の一部をなす本体フレーム１１０が示されている。本体フレーム１１０は、右側の側板１１２ａと左側の側板１１２ｂとを有し、例えば、側板１１２ａと側板１１２ｂと含む箱状の形状となっていて、側板１１２ａと側板１１２ｂとの間に形成される空間に感光体ユニット２６が収納される。そして、本体フレーム１１０に、感光体ユニット２６が固定されることで、感光体ユニット２は画像形成装置本体１２に固定される。本体フレーム１１０は、側板１１２ａの例えば２箇所と、側板１１２ｂの例えば２箇所が内側（感光体ユニット２６が収納される側）に向けて折り曲げられていて、この折り曲げられた部分が側板１１２ａ、１１２ｂに略垂直な４箇所の折り曲げ部１１４となっている。折り曲げ部１１４の後ろ側の面には、被係合部として用いられる被係合部材１２０が、それぞれ装着されている。
【００３９】
図１２には、被係合部材１２０が示されている。なお、この実施形態では、本体フレームに装着される４個の被係合部材１２０は全て同じ構造あり、全て同じ形状をしている。被係合部材１２０には、２つ小径部１２４及び２つの大径部１２６を有する貫通孔１２２が形成されている。小径部１２４と大径部１２６とは、貫通孔１２２の周方向に交互に配置されている。小径部１２４、１２４の内側面部分には、摺動部として用いられる摺動スロープ１２８、１２８がそれぞれ形成されている。摺動スロープ１２８、１２８は、被係合部材１２０が本体フレーム１１０に装着された状態において、画像形成装置本体１２の前側に当たる低部１２８ａ側から高部１２８ｂ側まで略円周状に形成されている。また、小径部１２４、１２４の内側面部分には、摺動スロープ１２８、１２８の高部１２８ｂ、１２８ｂ側と連続するように、係止部として用いられる凹部１３０、１３０が形成されている。
【００４０】
図１３には、感光体ユニット２６を画像形成装置本体１２に固定する固定機構１４０が示されている。固定機構１４０は、先述の操作部材８２と被係合部材１２０とを有する。操作部材８２は、先述のようにハンドル部８４と軸部８６と有する。軸部８６には、軸方向と略垂直な方向に突出するように、被係止部として用いられる２つの係止突起８７、８７が、軸部８６の周方向において略１８０度間隔に設けられている。そして、操作部材８２は、軸部８６が、感光体ユニット本体３８の突出部３８ｃ（図４、図５参照）に形成された貫通孔３８ｅに挿入されるようにして感光体ユニット本体３８に組み付けられている。
【００４１】
軸部８６には、付勢手段として用いられ、例えばコイルスプリングからなる弾性体１４２の例えば一端部が装着されている。弾性体１４２の例えば他端部は、感光体ユニット本体３８に固定されている。そして、弾性体１４２は、操作部材８２を、軸部８６の軸方向に回転するように付勢するとともに、軸部８６の軸方向において、係止突起８７、８７を被係合部材１２０に押圧する方向（図１３における左方向）に付勢する。また、弾性体１４２は、操作部材８２と感光体ユニット本体３８とを連結している。
【００４２】
図１４には、固定機構１４０の動作が示されている。  感光体ユニット２６（図２参照）が画像形成装置本体１２（図２参照）内に装着された状態においては、図１４（ａ）に示されるように、弾性体１４２（図１３）によって、図１４中において反時計回り方向に付勢された操作部材８２の係止突起８７、８７が、被係合部材１２０に形成された貫通孔１２２の壁面部１３１、１３１に押圧されるとともに、係止突起８７、８７が、被係合部材１２０に対して軸部８６の軸方向に押圧されることによって（図１３参照）、感光体ユニット２６が画像形成装置本体１２に固定される。
【００４３】
感光体ユニット２６を画像形成装置本体１２から取り外すには、操作部材８２と被係合部材１２０との係合を解除することで、感光体ユニット２６と画像形成装置本体１２との固定を解除することを要する。感光体ユニット２６と画像形成装置本体１２との固定を解除するには、操作部材８２のハンドル部８４を操作し、操作部材８２を弾性体１４２の付勢に抗して図１４中における時計回り方向に回転させることで、図１４（ｂ）に示されるように、係止突起８７、８７を摺動スロープ１２８、１２８に当接する位置まで移動させ、さらに、図１４（ｃ）に示されるように、係止突起８７、８７を摺動スロープ１２８、１２８から離間する位置まで移動させる。そして、この状態で感光体ユニット２６を前方に引き出すことで、感光体ユニット２６を画像形成装置本体１２から引き出すことができる（図２参照）。
【００４４】
感光体ユニット２６を画像形成装置本体１２に装着し、固定する際には、ハンドル部８４を操作することで、図１４（ｃ）に示されるように、操作部材８２の係止突起８７、８７が摺動スロープ１２８、１２８から離間した状態となるように操作部材８２を移動させた状態で、感光体ユニット２６を画像形成装置本体１２に装着した後、ハンドル部８４の操作を止める。ハンドル部８４の操作を止めることで、操作部材８２が、弾性体１４２によって付勢され、図１４（ｂ）に示される位置を経て図１４（ａ）に示される位置へと移動し、感光体ユニット２６と画像形成装置本体１２とが固定される。
【産業上の利用可能性】
【００４５】
以上述べたように、本発明は、画像形成装置本体に着脱される像形成ユニットを有する画像形成装置と、これに用いられる像形成ユニットに適用することができる。
【図面の簡単な説明】
【００４６】
【図１】本発明の実施形態に係る画像形成装置を示す右側面図である。
【図２】本発明の実施形態に係る画像形成装置の画像形成装置本体内に像形形成ユニットを着脱する方法を説明する説明図である。
【図３】本発明の実施形態に係る像形成ユニットを示す斜視図である。
【図４】本発明の実施形態に係る像形成ユニットを示す正面図である。
【図５】本発明の実施形態に係る像形成ユニットを示し、図５（ａ）は左側面図であり、図５（ｂ）は右側面図である。
【図６】本発明の実施形態に係る像形成ユニットを示し、図６（ａ）は像形成ユニットの右側面に把手が着脱される状態を示す斜視図であり、図６（ｂ）は像形成ユニットの左側面に把手が着脱される状態を示す斜視図である。
【図７】本発明の実施形態に係る像形成ユニットに把手が装着される構成を示す断面図である。
【図８】本発明の実施形態に用いられる画像形成装置本体を示し、図８（ａ）は右内側の側面に設けられたガイド溝を示す斜視図であり、図８（ｂ）は左内側の側面に設けられたガイド面を示す斜視図である。
【図９】本発明の実施形態に用いられる画像形成装置本体の、右側の内側面を示す断面図である。
【図１０】本発明の実施形態に用いられる画像形成装置本体の、左側の内側面を示す断面図である。
【図１１】本発明の実施形態に用いられる固定機構を示し、図１１（ａ）は左側面側に設けられた固定機構を示す左側面図であり、図１１（ｂ）は右側面側に設けられた固定機構を示す右側面図である。
【図１２】本発明の実施形態に用いられる固定機構を構成する被係合部材を示し、図１２（ａ）は斜視図であり、図１２（ｂ）は背面図であり、図１２（ｃ）は図１１（ｂ）のＢ─Ｂ断面を示す斜視図である。
【図１３】本発明の実施形態に用いられる固定機構を示し、図１１において点線Ａで囲んだ部分の断面を拡大して示す断面図である。
【図１４】本発明の用いられる固定機構の動作を説明する説明図である。
【符号の説明】
【００４７】
１０      画像形成装置
１２      画像形成装置本体
１２ａ    側面
１２ｂ    側面
２６      感光体ユニット
３８      感光体ユニット本体
４０      感光体
５０      サブユニット
６４      開放部
６６      開閉カバー
８０ａ    把手
８０ｂ    把手
８１      突起
８２      操作部材
８４      ハンドル部
８６      軸部
８７      係止突起
９０      ガイド溝
９６      ガイド面
１１０    本体フレーム
１２０    被係合部材
１２２    貫通孔
１２８ａ  低部
１２８ｂ  高部
１２８    摺動スロープ
１３０    凹部
１３１    壁面部
１４０    固定機構
１４２    弾性体
【図１】
2008209697.tif 000003
【図２】
2008209697.tif 000004
【図３】
2008209697.tif 000005
【図４】
2008209697.tif 000006
【図５】
2008209697.tif 000007
【図６】
2008209697.tif 000008
【図７】
2008209697.tif 000009
【図８】
2008209697.tif 000010
【図９】
2008209697.tif 000011
【図１０】
2008209697.tif 000012
【図１１】
2008209697.tif 000013
【図１２】
2008209697.tif 000014
【図１３】
2008209697.tif 000015
【図１４】
2008209697.tif 000016